(57)【要約】【課題】座位における機能性およびデザイン性に優れたズボンを提供する。【解決手段】前身頃は、中心部の裾１３から股上上端１４までの寸法ＬＦ１が、脇の裾１３から股上上端１４までの寸法ＬＦ２よりも短くなっている。後身頃は、中心部の裾２３から股上上端２４までの寸法ＬＢ１が、脇の裾２３から股上上端２４までの寸法ＬＢ２よりも長くなっている。また、前身頃の中心部における裾１３から股上上端１４までの寸法ＬＦ１と、後身頃の中心部における裾２３から股上上端２４までの寸法ＬＢ１との差ＬＢ１−ＬＦ１は、１１ｃｍ以上１３ｃｍ以下の範囲内である。【選択図】図２
2008266839.tif 000002
【特許請求の範囲】
【請求項１】
前身頃の中心部における裾から股上上端までの寸法は、後身頃の中心部における裾から股上上端までの寸法よりも、１１ｃｍ以上１３ｃｍ以下の範囲内で短い
ことを特徴とするズボン。
【請求項２】
後身頃の尻部分に対応する脇から中心に向かって脇の方が幅広いダーツを設けた
ことを特徴とする請求項１記載のズボン。
【請求項３】
後身頃の尻部分に対応するウエストから裾に向かってウエストの方が幅広いダーツを設けた
ことを特徴とする請求項１又は請求項２記載のズボン。
【請求項４】
前身頃の裾から股上上端までの寸法は、脇よりも中心部の方が短く、
前身頃の股上上端には、前中心線から脇に向かい、前中心線に対して垂直な直線領域が設けられた
ことを特徴とする請求項１から請求項３のいずれかに記載のズボン。
【請求項５】
前身頃の股上中心部に開閉可能な前開き部を有し、
この前開き部の開き止まり位置と股下の縫い合わせ開始位置との間の長さは５ｃｍ以下である
ことを特徴とする請求項１から請求項４のいずれかに記載のズボン。
【請求項６】
股部分に菊穴を有する
ことを特徴とする請求項１から請求項５のいずれかに記載のズボン。
【請求項７】
前記菊穴は、縫い代を折り返した領域に設けられた
ことを特徴とする請求項６記載のズボン。
【請求項８】
後身頃の裏側に、股上上端から腰部分を覆う当布を設けた
ことを特徴とする請求項１から請求項７のいずれかに記載のズボン。
【請求項９】
後身頃の腰部分に飾りポケットが設けられ、
この飾りポケットは、前記当布を共に縫い付けた
ことを特徴とする請求項８記載のズボン。
【請求項１０】
後身頃の上端部において、中心から左右に向かいウエストサイズの６％以上それぞれ離れた位置に、一対のベルト通しが設けられた
ことを特徴とする請求項１から請求項９のいずれかに記載のズボン。
【請求項１１】
上端部に、幅が１．５ｃｍ以上２．５ｃｍ以下のベルト通しを設けた
ことを特徴とする請求項１から請求項１０のいずれかに記載のズボン。
【発明の詳細な説明】
【技術分野】
【０００１】
本発明は、座位における生活を中心とする人が着用するのに適したズボンに関する。
【背景技術】
【０００２】
車椅子を利用する人などは座位における生活が中心であり、しかも、腰椎より下の神経が弱いことが多い。しかし、広く市販されているズボンは立位を基準としてデザインされていることが多いので、座った状態においては後身頃の中心部上端がお尻のほうに引っ張られて下がってしまい、腰を十分に覆うことができない。また、座った状態においてはお尻の辺りが窮屈ではき心地も悪い。よって、従来は、座位における生活を中心とする人の場合、体に合わせたデザインではなく、ゆとり分を多く持たせたデザインとすることにより、座位においても腰を保護し、はき心地もゆったりとしたズボンを利用することが多かった。ところが、このようなズボンはデザイン性よりも機能性を重視しているので、格好が悪く、見た目が綺麗でないという問題があった。
【０００３】
そこで、座位における生活を中心とする人についても、デザイン性を重視したズボンが提案されている。例えば、特許文献１には、車椅子利用者のビジネススーツ用スラックスにおいて、臀部に対応する部位について複数のパーツを組み合わせると共に、左右後身頃での尻ぐりを前倒させ、後股上を長くするなどの技術が記載されている。
【特許文献１】特開２００４−０１１０９１号公報
【発明の開示】
【発明が解決しようとする課題】
【０００４】
しかしながら、特許文献１に記載されているズボンはビジネススーツ用スラックスであるので、はき心地よりもデザイン性が重視されており、普段着用するには窮屈であるという問題があった。また、座位における型崩れを防ぐためにデザインが複雑となっており、製造が複雑で費用が高くなるという問題もあった。
【０００５】
本発明は、このような問題に基づきなされたものであり、座位における機能性およびデザイン性に優れたズボンを提供することを目的とする。
【課題を解決するための手段】
【０００６】
本発明のズボンは、前身頃の中心部における裾から股上上端までの寸法が、後身頃の中心部における裾から股上上端までの寸法よりも、１１ｃｍ以上１３ｃｍ以下の範囲内で短いものである。
【発明の効果】
【０００７】
本発明のズボンによれば、前身頃の中心部における裾から股上上端までの寸法を、後身頃の中心部における裾から股上上端までの寸法よりも、１１ｃｍ以上１３ｃｍ以下の範囲内で短くするようにしたので、座位において腰を十分に覆うことができ、座位におけるはき心地も良好とすることができる。また、座位における型崩れおよび弛みを防ぐことができ、見た目を良くすることができる。更に、従来のズボンと大きくデザインを変えなくてもよいので、容易かつ安価に製造することができる。
【０００８】
特に、後身頃の尻部分に対応する脇から中心に向かって脇の方が幅広いダーツを設けるようにすれば、また、後身頃の尻部分に対応するウエストから裾に向かってウエストの方が幅広いダーツを設けるようにすれば、デザインを大きく変えることなく、座位におけるはき心地をより改善することができ、座位における型崩れおよび弛みもより改善することができる。
【０００９】
更に、前身頃の裾から股上上端までの寸法を脇よりも中心部の方が短くなるようにすれば、座位における型崩れおよび弛みをより改善することができ、かつ、前身頃の股上上端に、前中心線から脇に向かい、前中心線に対して垂直な直線領域を設けるようにすれば、ズボンをはいた状態を前から見たときに、股上上端における前中心線の近傍が水平となるので自然に見え、デザイン性を向上させることができる。
【００１０】
加えて、前身頃の股上中心部に開閉可能な前開き部を設け、前開き部の開き止まり位置と股下の縫い合わせ開始位置との間の長さを５ｃｍ以下とするようにすれば、股の方まで広く開けることができるので、車椅子を利用している人でも着脱を容易とすることができる。
【００１１】
更にまた、座位における生活が中心の場合、腰から下の動きが少ないので蒸れやすいが、股部分に菊穴を設けるようにすれば、通気性を向上させることができ、はき心地をより改善することができる。また、座った状態においても菊穴が見えにくいので、見た目も良くすることができる。
【００１２】
加えてまた、縫い代を折り返した領域に菊穴を設けるようにすれば、縫い代を当布として利用することができるので、別布を当布として用意する必要が無く、製造を容易とすることができ、また、十分な強度も得ることができる。
【００１３】
更にまた、後身頃の裏側に股上上端から腰部分を覆う当布を設けるようにすれば、後身頃の縫い代が腰に当たるのを柔らかくすることができ、車椅子を利用している人でも、はき心地をより改善することができる。
【００１４】
加えてまた、後身頃の腰部分に飾りポケットを設け、飾りポケットを当布と共に縫い付けるようにすれば、ズボンをはいた時の見た目も美しく、かつ、当布がめくれてはき心地が悪くなるのを防止することができる。
【００１５】
更にまた、後身頃の上端部に、中心から左右に向かってウエストサイズの６％以上それぞれ離れた位置に、一対のベルト通しを設けるようにすれば、着脱の際にこのベルト通しに指を引っ掛けて引っ張りやすくすることができ、着脱を容易とすることができる。また、車椅子を利用している人の場合、介助の際にこのベルト通しに指を引っ掛けて利用することもでき、介助を容易とすることができる。
【００１６】
加えてまた、上端部に幅が１．５ｃｍ以上２．５ｃｍ以下のベルト通しを設けるようにすれば、着脱または介助の際にベルト通しを引っ張りやすくすることができ、また、強度も向上させることができる。
【発明を実施するための最良の形態】
【００１７】
以下、本発明の実施の形態について、図面を参照して詳細に説明する。
【００１８】
図１は、本発明の一実施の形態に係るズボンの構成を表すものであり、（Ａ）は正面から見た構成、（Ｂ）は左側面から見た構成、（Ｃ）は背面から見た構成をそれぞれ表している。このズボン１は、前身頃１０と、後身頃２０とを有しており、前身頃１０および後身頃２０の上端にはベルト３０が設けられている。前身頃１０は、略左右対称に構成された左前身頃１０Ａと右前身頃１０Ｂとを有しており、後身頃２０は、略左右対称に構成された左後身頃２０Ａと右後身頃２０Ｂとを有している。
【００１９】
図２（Ａ）は、左前身頃１０Ａの構成を一部展開して表すものである。なお、図２（Ａ）において破線で示したのは縫合位置１１であり、破線の外側は縫い代１２である。前身頃１０は、中心部の裾１３から股上上端１４までの寸法ＬＦ１が、脇の裾１３から股上上端１４までの寸法ＬＦ２よりも短くなっている。座位における前身頃１０の型崩れおよび弛みを防止するためである。中心部の裾１３から股上上端１４までの寸法ＬＦ１と、脇の裾１３から股上上端１４までの寸法ＬＦ２との差ＬＦ２−ＬＦ１は、２．５ｃｍ以上４．５ｃｍ以下の範囲内であることが好ましく、３ｃｍ以上４ｃｍ以下の範囲内であればより好ましい。この範囲においてより高い効果を得ることができるからである。なお、裾１３が水平でない場合には、裾１３の脇を基準とした水平線を裾基準線として引き、この裾基準線から股上上端１４までの寸法を裾１３から股上上端１４までの寸法とする。
【００２０】
前身頃１０の股上上端１４には、例えば、前中心線１５から脇に向かい、前中心線１５に対して垂直に形成された直線領域１６が所定の長さで設けられており、直線領域１６から脇に向かっては、直線領域１６と脇との間を滑らかな線で結んだ傾斜領域１７が設けられている。このように前身頃１０の中心部に直線領域１６を設けるようにすれば、ズボン１をはいた状態を前から見たときに、股上上端１４における前中心線１５の近傍が水平となるので自然に見え、デザイン性を向上させることができるので好ましい。直線領域１６の長さＬＦ３は、前中心線１５から左右にそれぞれ２ｃｍ以上７ｃｍ以下の範囲内であることが好ましく、４ｃｍ以上６ｃｍ以下の範囲内であればより好ましい。この範囲よりも短いと、前から見たときに股上上端１４における前中心線１５の近傍が水平に見える効果が低下してしまうが、この範囲よりも長くても効果は変わらず、逆に、傾斜領域１７が短くなるので傾斜が大きくなってしまい、はき心地と見た目が悪くなってしまうからである。
【００２１】
前身頃１０の股上中心部には、例えば、上端から股に向かって開閉可能な前開き部１８が設けられており、前開き部１８には、ファスナーなどの開閉具が取り付けられている。前開き部１８の開き止まり位置と、股下の縫い合わせ開始位置との間の長さＬＦ４は、一般的には６ｃｍから７ｃｍであるが、これよりも短い方が好ましい。具体的には、５ｃｍ以下であることが好ましく、４．５ｃｍ以下、更には４ｃｍ以下であればより好ましい。股の方まで広く開けることができるので、車椅子を利用している人でも着脱を容易とすることができるからである。なお、前開き部１８の開き止まり位置と、股下の縫い合わせ開始位置との間の長さＬＦ４は、縫製作業の容易性または縫い代の重なりなどを考えると、２ｃｍ以上あけることが好ましい。
【００２２】
前身頃１０の股上上部には、例えば左右の腰骨の辺りにポケット１９がそれぞれ設けられていてもよい。利便性およびデザイン性を向上させることができるからである。
【００２３】
図２（Ｂ）は右後身頃２０Ｂの構成を一部展開して表すものである。なお、図２（Ｂ）において破線で示したのは縫合位置２１であり、破線の外側は縫い代２２である。後身頃２０は、中心部の裾２３から股上上端２４までの寸法ＬＢ１が、脇の裾２３から股上上端２４までの寸法ＬＢ２よりも長くなっている。座位において腰を十分に覆うことができるようにするためである。中心部の裾２３から股上上端２４までの寸法ＬＢ１と、脇の裾２３から股上上端２４までの寸法ＬＢ２との差ＬＢ１−ＬＢ２は、５ｃｍ以上８ｃｍ以下の範囲内であることが好ましく、５．５ｃｍ以上７ｃｍ以下の範囲内であればより好ましい。この範囲においてより高い効果を得ることができるからである。
【００２４】
なお、裾２３が水平でない場合には、前身頃１０と同様に、裾２３の脇を基準とした水平線を裾基準線として引き、この裾基準線から股上上端２４までの寸法を裾２３から股上上端２４までの寸法とする。すなわち、前身頃１０の裾基準線と後身頃２０の裾基準線とは、前身頃１０と後身頃２０とを縫い合わせた状態において同一である。
【００２５】
また、このズボン１は、後身頃２０の中心部における裾２３から股上上端２４までの寸法ＬＢ１よりも、前身頃１０の中心部における裾１３から股上上端１４までの寸法ＬＦ１の方が短く、その差ＬＢ１−ＬＦ１は１１ｃｍ以上１３ｃｍ以下の範囲内、好ましくは１１．２ｃｍ以上１２．８ｃｍ以下の範囲内、より好ましくは１１．５ｃｍ以上１２．５ｃｍ以下の範囲内となっている。この範囲内において、座位においても腰を効果的に覆うことができ、かつ、座位におけるはき心地を効果的に改善することができ、更に、座位における型崩れおよび弛みを効果的に防止することができるからである。
【００２６】
後身頃２０の股上には、尻部分に対応する脇から中心に向かって脇の方が幅広いダーツ２５が左右にそれぞれ設けられていることが好ましい。座位におけるはき心地をより改善し、かつ座位における型崩れおよび弛みもより改善することができるからである。ダーツ２５は、ヒップラインに設けることが好ましい。ダーツ２５の長さＬＢ３は、例えば１０ｃｍから１２ｃｍであり、ダーツ２５の脇の幅Ｗ１は、例えば２ｃｍから５ｃｍ、より好ましくは２ｃｍから４ｃｍである。
【００２７】
後身頃２０の股上には、また、左右の尻部分に対応するウエストから裾２３に向かってウエストの方が幅広いダーツ２６がそれぞれ設けられていることが好ましい。座位におけるはき心地をより改善し、かつ座位における型崩れおよび弛みもより改善することができるからである。ダーツ２６の長さＬＢ４は、例えば６ｃｍから９ｃｍであり、ダーツ２６の脇の幅Ｗ２は、例えば２ｃｍから５ｃｍである。
【００２８】
後身頃２０の股上裏側には、股上上端から腰部分を覆う当布２７が設けられていることが好ましい。後身頃の縫い代が腰に当たるのを柔らかくすることができ、車椅子を利用している人でも、はき心地をより改善することができるからである。当布２７の長さＬＢ５は、例えば９ｃｍ以上１４ｃｍ以下の範囲内であることが好ましい。短いと腰を十分に保護することができず、長いとお尻のほうがごろついてはき心地が悪くなってしまうからである。当布２７は、少なくとも後身頃２０の中心部の縫い代に対応して設けられていれば良いが、腰全体を覆うように幅広く設けられていた方がはき心地も向上し、腰全体を保護できるので好ましい。なお、図２（Ｂ）では当布２７の右半分のみを点線で示しているが、当布２７は、左右の部材を中心部で縫い合わせるのではなく、１枚の布で構成されていることが好ましい。
【００２９】
後身頃２０の股上には、更に、左右の腰部分に飾りポケット２８がそれぞれ設けられていることが好ましい。ズボンをはいた時の見た目を美しくすることができ、デザイン性を向上させることができるからである。また、飾りポケット２８と当布２７とは少なくとも一部において共に縫い付けられていることが好ましい。当布２７がめくれてはき心地が悪くなるのを防止することができるからである。
【００３０】
後身頃２０の股部分には、例えば菊穴２９が設けられていることが好ましい。座位における生活が中心の場合、腰から下の動きが少なく蒸れやすいが、菊穴２９を設けることにより通気性を向上させることができ、蒸れを防止することができるからである。また、座った状態においても菊穴２９が見えにくいので、見た目にも良いからである。菊穴２９は、股下の縫い合わせ開始位置の近傍に設けられることが好ましく、例えば、股下の縫い合わせ開始位置から１ｃｍ以上５ｃｍ以下の範囲内に設けられることが好ましい。通気性を向上させる効果をより高くすることができ、また、５ｃｍよりも離れると菊穴２９が見えやすくなり、１ｃｍよりも近いと菊穴２９を設けるのが技術的に難しくなるからである。
【００３１】
更に、菊穴２９は、縫い代２２を折り返した領域に設けられることが好ましい。縫い代２２を当布として利用することができるので、別布を当布として用意する必要が無く、製造を容易とすることができ、また、十分な強度も得ることができるからである。なお、菊穴２９は、例えば、開口の大きさが２ｍｍから３ｍｍ程度であり、縫い目も含めた大きさが６ｍｍから８ｍｍ程度である。また、菊穴２９は、前身頃１０の股部分に設けるようにしても良い。
【００３２】
このズボン１には、更に、図１に示したように、前身頃１０および後身頃２０の上端部からベルト３０にかけて、複数のベルト通し３１が設けられている。本実施の形態では、前身頃１０における左右の脇および左右のポケット１９の中心側にそれぞれ１対のベルト通し３１が設けられ、かつ、後身頃２０に左右１対のベルト通しが設けられている。後身頃２０に設けられているベルト通し３１は、後身頃２０の中心から左右に向かってウエストサイズの６％以上それぞれ離れた位置に設けられていることが好ましい。このように中心から離れた位置に設けることにより、車椅子を利用している人がズボンを着脱する際、または、車椅子を利用している人を介助する際などに、このベルト通し３１に指を引っ掛けて引っ張りやすくすることができるからである。また、後身頃２０の中心部にベルト通しがあると、椅子に座った際にベルト通しが背骨に当たり好ましくないからである。
【００３３】
後身頃２０に設けられている一対のベルト通し３１は、後身頃２０の中心から左右に向かってウエストサイズの７％以上それぞれ離れていればより好ましく、８％以上それぞれ離れていれば更に好ましい。また、後身頃２０の中心から左右に向かってウエストサイズの１４％以下の範囲内でそれぞれ離れていれば好ましく、１２％以下の範囲内でそれぞれ離れていればより好ましい。なお、ベルト通し３１と後身頃２０の中心との距離は、ベルト通し３１の中心側端部と後身頃２０の中心との距離である。また、ウエストサイズは前身頃１０の股上上端１４の長さと、後身頃２０の股上上端２４の長さとを足したものである。
【００３４】
ベルト通し３１の幅Ｗ３は、１．５ｃｍ以上２．５ｃｍ以下の範囲内であることが好ましい。車椅子を利用している人がズボンを着脱する際、または、車椅子を利用している人を介助する際などに、ベルト通し３１を利用して引っ張りやすくなり、また、強度も向上させることができるからである。
【００３５】
なお、このズボン１は、どのような生地を用いてもよいが、伸縮性を有する生地を用いることが好ましい。座位におけるはき心地をより向上させることができるからである。
【００３６】
このように、本実施の形態に係るズボンによれば、前身頃１０の中心部における裾１３から股上上端１４までの寸法ＬＦ１を、後身頃２０の中心部における裾２３から股上上端２４までの寸法ＬＢ１よりも短くし、その差ＬＢ１−ＬＦ１を１１ｃｍ以上１３ｃｍ以下とするようにしたので、座位において腰を十分に覆うことができ、座位におけるはき心地も良好とすることができる。また、座位における型崩れおよび弛みを防ぐことができ、見た目を良くすることができる。更に、従来のズボンと大きくデザインを変えなくてもよいので、容易かつ安価に製造することができる。
【００３７】
特に、前身頃１０の中心部における裾１３から股上上端１４までの寸法ＬＦ１と、後身頃２０の中心部における裾２３から股上上端２４までの寸法ＬＢ１との差ＬＢ１−ＬＦ１を、１１．２ｃｍ以上１２．８ｃｍ以下、更には１１．５ｃｍ以上１２．５ｃｍ以下とするようにすれば、より高い効果を得ることができる。
【００３８】
また、後身頃２０の尻部分に対応する脇から中心に向かって脇の方が幅広いダーツ２５を設けるようにすれば、また、後身頃２０の尻部分に対応するウエストから裾２３に向かってウエストの方が幅広いダーツ２６を設けるようにすれば、デザインを大きく変えることなく、座位におけるはき心地をより改善することができ、座位における型崩れおよび弛みもより改善することができる。
【００３９】
更に、前身頃１０の中心部における裾１３から股上上端１４までの寸法ＬＦ１を前身頃１０の脇における裾１３から股上上端１４までの寸法ＬＦ２よりも短くなるようにすれば、座位における型崩れおよび弛みをより改善することができる。また、前身頃１０の股上上端１４に、前中心線１５から脇に向かい、前中心線１５に対して垂直な直線領域１６を所定の長さで設けるようにすれば、ズボン１をはいた状態を前から見たときに、股上上端１４における前中心線１５の近傍が水平となるので自然に見え、デザイン性を向上させることができる。特に、直線領域１５の長さＬＦ３を股上上端中心から左右にそれぞれ２ｃｍ以上７ｃｍ以下の範囲内とすれば、更には４ｃｍ以上６ｃｍ以下の範囲内とすれば、より高い効果を得ることができる。
【００４０】
加えて、前身頃１０の股上中心部に開閉可能な前開き部１８を設け、前開き部１８の開き止まり位置と股下の縫い合わせ開始位置との間の長さＬＦ４を５ｃｍ以下、更には４．５ｃｍ以下、更には４ｃｍ以下とするようにすれば、股の方まで広く開けることができるので、車椅子を利用している人でも着脱を容易とすることができる。
【００４１】
更にまた、股部分に菊穴２９を設けるようにすれば、通気性を向上させることができる。よって、座位における生活が中心の場合、腰から下の動きが少ないので蒸れやすいが、蒸れを防止することができ、はき心地をより改善することができる。また、座った状態においても菊穴が見えにくいので、見た目も良くすることができる。
【００４２】
加えてまた、縫い代を折り返した領域に菊穴２９を設けるようにすれば、縫い代を当布として利用することができるので、別布を当布として用意する必要が無く、製造を容易とすることができる。また、十分な強度も得ることができる。
【００４３】
更にまた、後身頃２０の裏側に股上上端から腰部分を覆う当布２７を設けるようにすれば、後身頃２０の縫い代２２が腰に当たるのを柔らかくすることができ、車椅子を利用している人でも、はき心地をより改善することができる。
【００４４】
加えてまた、後身頃２０の腰部分に飾りポケット２８を設け、飾りポケット２８を当布２７と共に縫い付けるようにすれば、ズボン１をはいた時の見た目も美しく、かつ、当布２８がめくれてはき心地が悪くなるのを防止することができる。
【００４５】
更にまた、後身頃２０の上端部に、中心から左右に向かってウエストサイズの６％以上それぞれ離れた位置に、一対のベルト通し３１を設けるようにすれば、着脱の際にこのベルト通し３１に指を引っ掛けて引っ張りやすくすることができ、着脱を容易とすることができる。また、車椅子を利用している人の場合、介助の際にこのベルト通しに指を引っ掛けて利用することもでき、介助を容易とすることができる。
【００４６】
加えてまた、上端部に幅が１．５ｃｍ以上２．５ｃｍ以下のベルト通し３１を設けるようにすれば、着脱または介助の際にベルト通しを引っ張りやすくすることができ、また、強度も向上させることができる。
【００４７】
以上、実施の形態を挙げて本発明を説明したが、本発明は上記実施の形態に限定されるものではなく、種々変形可能である。例えば、上記実施の形態では、後身頃２０にダーツ２５，２６を設ける場合について説明したが、いずれか１つのみを設けるようにしても良く、両方とも設けなくてもよい。
【００４８】
なお、上述した後身頃２０の中心部における裾２３から股上上端２４までの寸法ＬＢ１と、脇における裾２３から股上上端２４までの寸法ＬＢ２との差ＬＢ１−ＬＢ２は、ダーツ２５を設けるか設けないか、および、ダーツ２５の幅Ｗ１により異なってくる。上述した差ＬＢ１−ＬＢ２の好ましい範囲は、ダーツ２５を上述した好ましい範囲で設けた場合の値である。ダーツ２５を設けない場合には、後身頃２０の中心部における裾２３から股上上端２４までの寸法ＬＢ１と、脇における裾２３から股上上端２４までの寸法ＬＢ２との差ＬＢ１−ＬＢ２は、６．５ｃｍ以上１０．５ｃｍ以下の範囲内が好ましく、７ｃｍ以上１０ｃｍ以下の範囲内であればより好ましい。
【産業上の利用可能性】
【００４９】
座位における生活を中心とする人などのズボンとして用いることができる。
【図面の簡単な説明】
【００５０】
【図１】（Ａ）は本発明のズボンの構成を表す正面図、（Ｂ）は本発明のズボンの構成を表す左側面図、（Ｃ）は本発明のズボンの構成を表す背面図である。
【図２】（Ａ）は図１に示したズボンの左前身頃の構成を表す一部展開図であり、（Ｂ）は図１に示したズボンの右後身頃の構成を表す一部展開図である。
【符号の説明】
【００５１】
１…ズボン、１０…前身頃、１０Ａ…左前身頃、１０Ｂ…右前身頃、１１，２１…縫合位置、１２，２２…縫い代、１３，２３…裾、１４，２４…股上上端、１５…前中心線、１６…直線領域、１７…傾斜領域、１８…前開き部、１９…ポケット、２５，２６…ダーツ、２７…当布、２８…飾りポケット、２９…菊穴、３０…ベルト、３１…ベルト通し
【図１】
2008266839.tif 000003
【図２】
2008266839.tif 000004
【手続補正書】
【提出日】平成20年3月10日(2008.3.10)
【手続補正１】
【補正対象書類名】特許請求の範囲
【補正対象項目名】全文
【補正方法】変更
【補正の内容】
【特許請求の範囲】
【請求項１】
前身頃の中心部における裾から股上上端までの寸法は、後身頃の中心部における裾から股上上端までの寸法よりも、１１ｃｍ以上１３ｃｍ以下の範囲内で短い
ことを特徴とするズボン。
【請求項２】
後身頃の尻部分に対応する脇から中心に向かって脇の方が幅広いダーツを設けた
ことを特徴とする請求項１記載のズボン。
【請求項３】
前身頃の裾から股上上端までの寸法は、脇よりも中心部の方が短く、
前身頃の股上上端には、前中心線から脇に向かい、前中心線に対して垂直な直線領域が設けられた
ことを特徴とする請求項１または請求項２に記載のズボン。
【請求項４】
前身頃の股上中心部に開閉可能な前開き部を有し、
この前開き部の開き止まり位置と股下の縫い合わせ開始位置との間の長さは５ｃｍ以下である
ことを特徴とする請求項１から請求項３のいずれかに記載のズボン。
【請求項５】
股部分に菊穴を有する
ことを特徴とする請求項１から請求項４のいずれかに記載のズボン。
【請求項６】
前記菊穴は、縫い代を折り返した領域に設けられた
ことを特徴とする請求項５記載のズボン。
【請求項７】
後身頃の上端部において、中心から左右に向かいウエストサイズの６％以上それぞれ離れた位置に、一対のベルト通しが設けられた
ことを特徴とする請求項１から請求項６のいずれかに記載のズボン。
【請求項８】
上端部に、幅が１．５ｃｍ以上２．５ｃｍ以下のベルト通しを設けた
ことを特徴とする請求項１から請求項７のいずれかに記載のズボン。
【請求項９】
後身頃の裏側に、股上上端から腰部分を覆う当布を設けた
ことを特徴とする請求項１から請求項８のいずれかに記載のズボン。
【請求項１０】
後身頃の腰部分に飾りポケットが設けられ、
この飾りポケットは、前記当布を共に縫い付けた
ことを特徴とする請求項９記載のズボン。
【請求項１１】
後身頃の尻部分に対応するウエストから裾に向かってウエストの方が幅広いダーツを設けた
ことを特徴とする請求項１から請求項１０のいずれかに記載のズボン。